(57)【要約】【課題】  ゴルフボールのインパクトの直前および直後においてゴルフクラブヘッドを飛球線方向に直線的に誘導すると共にインパクト時にゴルフクラブシャフトとアームとがなす角度（θ）がアドレス時の状態に正しく振り下ろされているか否かをプレーヤー自身が視覚的に認識しうる。【解決手段】  ゴルフクラブシャフト２２の下面が摺接滑走してスイング方向を案内するガイドフレームを有するゴルフスイングの練習器において、ガイドフレームはプレーヤーのアドレス位置においてプレーヤーが把持したゴルフクラブ２０のシャフト２２の下面がシャフトの上下位置で接触する接触部１，２と該上下の接触部を挾んでスイング方向に延設する延設ガイド部１，２とを設け、少なくとも上方位置の延設部２がゴルフボールの飛球線方向と平行に延長し、シャフトがアドレス位置の前後において上方の延設ガイド部２に連続的に接触して該飛球線方向と平行に誘導される【選択図】    図１
2005218784.tif 000002
【特許請求の範囲】
【請求項１】
ゴルフスイングの練習時にゴルフクラブシャフトの下面が摺接滑走してゴルフクラブシャフトのスイング方向を案内するガイドフレームを有するゴルフスイングの練習器において、該ガイドフレームはプレーヤーのアドレス位置において該プレーヤーが把持したゴルフクラブのシャフトの下面が該シャフトの上下位置で接触する接触部と該上下の接触部を挾んでスイング方向に延設する延設ガイド部とを設け、少なくとも上方位置の該延設部がゴルフボールの飛球線方向と平行に延長し、該シャフトがアドレス位置の前後において上方の該延設ガイド部に連続的に接触して該飛球線方向と平行に誘導されるようにしてなることを特徴とするゴルフスイングの練習器。  
【請求項２】
前記上方位置の前記延設ガイド部が前記アドレス位置を挾んでゴルフのスイングの前後方向にそれぞれ少なくとも１０ｃｍ設けられてなることを特徴とする請求項１記載のゴルフスイングの練習器。
【請求項３】
前記ガイドフレームが傾斜角度を調節自在とした円弧状または円環状の第１のガイドフレームと、該第１のガイドフレームの傾斜角度内に配置されると共に該第１のガイドフレームが形成する平面に対して平行に近接または離間する方向に設定位置を調節可能とした第２のガイドフレームとからなることを特徴とする請求項１または２に記載のゴルフスイングの練習器。
【請求項４】
前記第１のガイドフレームが円環状で、前記第２のガイドフレームが棒状であることを特徴とする請求項３記載のゴルフスイングの練習器。
【請求項５】
前記ガイドフレームが傾斜した板材から形成され、該板材の傾斜面が飛球線と平行に延長し、ゴルフクラブシャフトの下面が該傾斜面状を摺接滑走するようにしてなることを特徴とする請求項１または２に記載のゴルフスイングの練習器。
【発明の詳細な説明】
【技術分野】
【０００１】
本発明はゴルフスウィングの練習器に関するもので、より具体的にはゴルフスイングの練習時にゴルフクラブシャフトの下面が摺接滑走してゴルフクラブシャフトのスイング方向を誘導するガイドフレームを有するゴルフスウィングの練習器に関するものである。
【背景技術】
【０００２】
従来、この種のゴルフスイングの練習器としては、クラブヘッドが描く面内にガイドフレームとしての環状体を設置し、この環状体のほぼ中央にプレーヤーが位置してゴルフクラブのシャフトの先端近傍が環状体を摺接滑走するようにゴルフクラブのスイングを誘導するようにしてなる練習器がある。
【特許文献１】特開平７−８５８４
【発明の開示】
【発明が解決しようとする課題】
【０００３】
しかしながら、これら従来のゴルフスイングの練習器では、ゴルフクラブシャフトの下面は円環状のガイドフレームに１点で接触した状態で誘導されるものである。
【０００４】
しかしながら、多くのアマチュアゴルファーの場合には、正しいアドレスの姿勢をとった後に、テークバック位置からインパクト位置にゴルフクラブを振り下ろす際に、無意識的に上体が上下動して当初のアドレスの姿勢でゴルフボールをインパクトすることが難しい。これは、図８に示すように、プレーヤーのアドレスの姿勢を側面から見た場合に、ゴルフクラブシャフトとプレーヤーのアームとの間に形成される角度θがアドレス時とインパクト時とで変化することを意味している。例えば、プレーヤーの上体がインパクト時に前屈みになると、図８（ａ）に示すように予め設定したアドレス姿勢の時の角度θが図８（ｂ）に示すように角度θ′（θ′＜θ）となって、インパクト時にはゴルフボールがクラブヘッドのヒール側に当り、一方、プレーヤーの上体がインパクト時に後方に反ると、図８（ｃ）に示すように前記の角度がθ″（θ″＞θ）となって、インパクト時にはゴルフボールがクラブヘッドのトー側に当たり、ミスショットの原因となる。
【０００５】
上記のように従来のゴルフスイングの練習器では、ゴルフクラブシャフトと環状体とは１点のみで接触しているから、プレーヤーの身体がスイング時に上下動して上記のゴルフクラブシャフトとプレーヤーのアームとの角度（θ）が変化してもこれをプレーヤーは認識することができず、これに起因するミスショットを改善することは困難であった。
【０００６】
また、従来のゴルフスイングの練習器では、円環状のガイドフレームに沿ってゴルフクラブヘッドをゴルフボールのインパクトの直前および直後においても円弧状に誘導するため、理想的な安定したゴルフスイングの練習器としては好適とはいえない。
【０００７】
何故ならば、プロプレーヤーや熟達したゴルフファーのスイングをよく見ると、例えばドライバーやロングアイアンのゴルフスイングではゴルフボールをプレーヤーの身体の中心よりもやや飛球線側に置き、そのスイングではインパクトの直前から、例えば右利きのプレーヤーの場合には、右足の飛球線方向へのキックにより体重の横移動が開始し、インパクト時には左脚の左側面が壁に当接したように横移動が規制され、この状態はインパクト直後にも維持されてゴルフクラブは振り抜かれていく。このようなスイングではゴルフクラブヘッドはゴルフボールのインパクトの直前から直後まで飛球線方向に沿って直線的に移動している。このことは、ゴルフ場においてミドルアイアン乃至ショートアイアンを用いて正しいゴルフスイングをしたときにターフ（芝）が飛球線方向に直線状に削り取られることからも判る。
【０００８】
上記のような従来のゴルフスイングの練習器はゴルフクラブのスイングをインパクトの直前および直後において飛球線方向に沿って直線的に誘導することができないため。上級者用のゴルフスイングの練習器としては不適当なものである。
【０００９】
本発明はこのような問題点に鑑みてなされたもので、その目的はインパクト時にゴルフクラブシャフトとアームとがなす角度（θ）がアドレス時の状態に正しく振り下ろされているか否かをプレーヤー自身が視覚的に認識して容易に矯正することができるとともに、ゴルフクラブのヘッドによってゴルフボールをインパクトする直前および直後においてゴルフクラブヘッドを飛球線方向に直線的に誘導することのできるゴルフスイングの練習器を提供するにある。
【課題を解決するための手段】
【００１０】
ゴルフスイングで最も肝要な点は、ゴルフクラブを予め設定したアドレス位置に正確に振り下ろすことと、この振り下ろしたゴルフクラブのヘッドを打球線方向に正確に振り抜くことである。
【００１１】
本発明のゴルフスイングの練習器では、ゴルフクラブを振り下ろした時のゴルフクラブシャフトとアームとの間の側面図における垂直面内の角度θがアドレスの時の角度と合致しているか否かをプレーヤー自身が視覚的に認識しうるようするとともに、振り下ろしたゴルフクラブのヘッドをゴルフボールのインパクト位置の直前から直後まで打球線方向に直線的に誘導するようにして、ゴルフスイングの矯正を容易としたのである。
【００１２】
このため、本発明では、ゴルフスイングの練習時にゴルフクラブシャフトの下面が摺接滑走してゴルフクラブシャフトのスイング方向を案内するガイドフレームを有するゴルフスイングの練習器において、該ガイドフレームはプレーヤーのアドレス位置において該プレーヤーが把持したゴルフクラブのシャフトの下面が該シャフトの上下位置で接触する接触部と該上下の接触部を挾んでスイング方向に延設する延設ガイド部とを設け、少なくとも上方位置の該延設部がゴルフボールの飛球線方向と平行に延長し、該シャフトがアドレス位置の前後において上方の該延設ガイド部に連続的に接触して該飛球線方向と平行に誘導されるようにしてなるのである。
【００１３】
また、好ましくは、上記のゴルフスイングの練習器において、前記上方位置の前記延設ガイド部が前記アドレス位置を挾んでゴルフのスイングの前後方向にそれぞれ少なくとも１０ｃｍ設けられることである。
【００１４】
また、好ましくは、前記ガイドフレームが傾斜角度を調節自在とした円弧状または円環状の第１のガイドフレームと、該第１のガイドフレームの傾斜角度内に配置されると共に該第１のガイドフレームが形成する平面に対して平行に近接または離間する方向に設定位置を調節可能とした第２のガイドフレームとから構成することで、更に好ましくは、前記第１のガイドフレームを円環状とし、前記第２のガイドフレームを棒状とすることである。
【発明の効果】
【００１５】
以上のように本発明のゴルフスイング練習器では、ゴルフクラブヘッドをインパクトの前後において飛球線方向に直線的に誘導するので、ゴルフクラブヘッドを円弧状に誘導する従来のゴルフスイング練習器に較べてゴルフボールの飛球方向のぶれが少なく安定したショットを得ることができる。
【００１６】
また、ゴルフクラブを振り下ろしたときにゴルフクラブシャフトとプレーヤーのアームとの間の角度θがアドレス時と同じ角度で振り下ろされているかどうかをプレーヤーが視覚的に認識して、上体の上下および前後の振れを修正してゴルフクラブのフェースの中央部で打撃する確率を向上させてミスショットを無くし、上体のねじり軸が安定して飛距離のアップを図ることができるゴルフスイング練習器である。
【発明を実施するための最良の形態】
【００１７】
以下に本発明の好適な実施例について、添付の図面を参照にして説明する。  
本発明のゴルフスイング練習器は、図１および図２に示すように、パイプ材からなるガイドリング１と同じくパイプ材からなるガイドバー２とからなっている。ガイドリング１は支持脚装置３によって、水平面に対して所定の角度で傾斜して地面から離れて支持されている。
【００１８】
この支持装置３は、傾斜したガイドリング１の相対向するそれぞれの側部の２ヶ所に係合する係合片４，４と、各各側部の係合片４，４を連結する鍔枠片５と、各鍔枠片５に上端が結合され下端が地面に接触するように鍔枠片５から斜め後方に延出する第１の脚部６と、両脚部６，６の下方部を相互に連結する第１の水平連結棒７と、各第１の脚部の上方部に上端が連結されて下端が地面に接するように第１の脚部６から斜め前方に延出する第２の脚部８と、左右の第２の脚部８，８の下方部を相互に連結する第２の水平連結棒９と、第２の水平連結棒９の両端近傍から屈曲延出してガイドリングの下方後面を支持する第３の支持脚１０，１０とからなっている。
【００１９】
係合片４は角材で上下の両端近傍に凹溝１１が湾曲形成され、これらの凹溝１１内にガイドリング１が密着嵌合し、ガイドリング１は上下の凹溝間の鍔枠片５の外側方に突出している。そして、好ましく上記の密着嵌合部に接着剤塗布して両者を強固に接着することである。このようにガイドリング１は各鍔枠片５の上下２ヶ所において支持され、両鍔枠片５はその上下の係合片４の４ヶ所でガイドリング１を支持していることになるため、ガイドリング１は両鍔枠片５に対して揺動不能に取り付けられる。
【００２０】
第１の脚部６の上端部はボルトとナットによって鍔枠片５に取り付けられ、ガイドリング１の地面に対する傾斜角度を所定の角度に設定後に、ナットをボルトに対して強固に締め付けることによって第１の脚部６が鍔枠片５に対して所定の角度で固定される。第２の脚部８の上端は第１の脚部６にボルトとナットによって回動可能に取り付けられ、第２の脚部８と第１の脚部６との間の開角度は第２の脚部８を第１の脚部６に対して接近または離間することによって調節される。
【００２１】
第３の支持脚１０は第２の水平連結棒９から下方に延出してＶ字形に屈曲して地面に接する第１の屈曲部１２と第１の屈曲部から前方に延出して浅い山形に屈曲する第２の屈曲部１３とを有し、それぞれの屈曲部１２，１３の頂部および第１の屈曲部１２と第２の屈曲部１３との結合部はそれぞれボルトとナットによって緊結されている。第２の屈曲部１３の前端がガイドリング１の下方後面に当接し、ゴルフスイング時に当該部分を摺接するゴルフクラブシャフトによってガイドリング１が内方へ押し込まれるのを阻止している。
【００２２】
ガイドバー２は第２の支持脚８の上方部に後端が接続された左右一対のアーム１４の前端に水平に支承されている。このアーム１４と第２の支持脚８とはボルトとナットによって接続され、アーム１４の第２の支持脚８に対する回動角度は調節自在とされて、この回動角度を調節した後にはボルトとナットを強固に締め付けることによってアーム１４と第２の支持脚８とは固着される。このガイドバー２はガイドリング１の下方部分の後面を横切って左右に延出し、アーム１３の前端のガイドバー２の支承部分はガイドリング１の左右の外方に位置している。
【００２３】
上記のゴルフスイング練習器を地面に設置するには、第１の脚部６と第２の脚部８を開き、次いで第３の支持脚１０を引き延ばすと共に鍔枠片５を第１の脚部６に対してそのボルトナットによる結合部を中心として回動させ、ガイドリングを地面に対して傾斜した状態に一時的に保持する。次に、プレーヤーがゴルフクラブ２０を持ってガイドリング１の中央部に入り、ゴルフクラブシャフトの下面がガイドリングに沿って滑走するように素振りをしながら、ガイドリング１の地面に対する傾斜角度を調整し、その傾斜角度を使用者のゴルフスイングのテークバック位置及びフォロースイング位置に合致させる。その後、鍔枠片５と第１の脚部６との結合部におけるボルトとナットとの締付を強固にし、また、第３の支持脚１０に設けられたボルトとナットによる各締結部を強固にする。この時、プレーヤーの所定のアドレス位置においては、ゴルフクラブ２０のシャフト２２の下方後面に、ガイドリング１の最下部の前面が接している。
【００２４】
次に、ガイドバー２が固定された左右一対のアーム１４を第２の支持脚８との結合部を中心として回動させながらガイドバー２を上下動させ、ガイドバーの中央の前面を前記所定のアドレス位置に設置されたゴルフクラブシャフトの後面に接触させ、この位置においてガイドバー２が上下動しないよう左右一対のアーム１４と第２の支持脚との結合部のボルトをナットに対して強固に締結する。従って、このアドレス位置においては、ガイドリングの下端前面とガイドバー２の中央部の前面の２ヶ所がゴルフクラブ２０のシャフト２２の下方と上方の後面に２ヶ所で接していることになる。
【００２５】
上記のようにゴルフスイングの練習器をセットしたアドレス位置からゴルフクラブをスイングする。アドレス位置からテークバックに入るときにはゴルフクラブのシャフト２２の上方側下面をガイドバー２の前面に沿って約１５ｃｍ摺接滑走させ、次いでゴルフクラブのシャフト２２の下方側下面をガイドリング１の前面に沿って最終のテークバック位置まで摺接滑走するようにする。このテークバック位置からゴルフボールをインパクトするアドレス位置にゴルフクラブを振り下ろすときには、上記の場合と同様にゴルフクラブの下面を最初はガイドリング１の前面に沿って摺接滑走させ、インパクトを迎えるアドレス位置の約１５ｃｍ手前からはゴルフクラブの下面をガイドバー２の前面に沿って摺接滑走させる。この、インパクト位置即ちアドレス位置では、プレーヤーはゴルフクラブシャフトの下面がガイドリング１の前面とガイドバー２の前面にその上下２点が接触していることを確認しながらゴルフスイングをする。インパクト後のフォロースルーではゴルフクラブシャフトの後面をガイドバー２に沿って１５ｃｍ程摺接滑走させ、その後はゴルフクラブシャフトの後面をガイドリング１に摺接滑走させながらフォロースルーを終える。
【００２６】
このように本発明のゴルフスイング練習器では、ゴルフボールをインパクトするアドレス位置の前後においてガイドバー２がゴルフクラブシャフト、即ちゴルフクラブヘッドを飛球線と平行な直線的に案内するので、フェース面が飛球線方向と直交した状態でゴルフクラブヘッドはゴルフボールに当たるので、ゴルフボールは正しい方向へと飛球することになる。
【００２７】
また、ゴルフスイングをするときにテークバック位置からアドレス位置にゴルフクラブを振り下ろしたときに、ゴルフクラブシャフトの後面がガイドリング１とガイドバー２の上下に離れた２点で接触するようにすることによって、ゴルフクラブが予め設定した正しいアドレス時の姿勢に振り下ろされていることを視覚的に認識することができる。何故ならば、もしもプレーヤーの上体が正しいアドレス時の姿勢よりも前屈みになったり或いは後方に反ったりしてゴルフクラブを振り下ろしたときには、側面から見てアームとゴルフクラブシャフトとが形成する角度θが図８（ｂ）に示すように小さくなったりまたは図８（ｃ）に示すように大きくなった場合には、上記のようにゴルフクラブシャフトの後面がガイドリング１とガイドバー２の上下に離れた２点で接触することができなくなるので、このように２点で接触しているということは、ゴルフクラブが正しいアドレス位置に振り下ろされていると言うことになるのである。このように、ゴルフクラブヘッドが正しいアドレス位置に振り下ろされると、ゴルフクラブヘッドの中心でゴルフクラブをヒットすることができ、ゴルフボールを正しく狙った方向に打撃することができる。また、このように練習することによって、ゴルフスイング時に上体がアドレス時よりも前方にかがんだり後方に反ったりしなくなるので、身体の回転軸が定まり飛距離を伸ばすゴルフスイングを体得することができる。
【００２８】
本発明の上記実施例は単なる一実施例であって、種々の変更が可能である。一つの好ましい変形例は、アドレス位置の前後、好ましくはアドレス位置を挾んで１０ｃｍ〜３０ｃｍの範囲ではゴルフクラブシャフトがガイドリング１とガイドバー２の両方に同時に接触しながら摺接滑走するようにすることで、このためにはガイドリングのアドレス位置を挾んで１０〜３０ｃｍほどの間の部分を円弧状ではなくガイドバー２と平行となるように直線状とすることである。
【００２９】
また、プレーヤーがゴルフクラブをアドレス位置に振り下ろしたときにゴルフクラブがガイドリング１とガイドバー２の両方に接触しているか否かを視覚的に容易に認識しうるように、ガイドリングとガイドバーの所定の位置に導電剤を塗布し或いは所定の位置を導電材で形成し、この両者の一方の導電材の端部を導電線で接続するとともにこの導電線をダイオードのような発光体および電源に接続し、導電性のゴルフクラブシャフトが他方の導電材の端部においてガイドリングとガイドバーに接触したときに電気回路が形成されて前記ダイオードが発光することによって、プレーヤーが視覚的に正しいスイングがなされていることを認識しうるようにしても良い。
【００３０】
また、別の変形例としては、アドレス位置を挾んで１０〜３０ｃｍほどの間の部分においてガイドリングおよびガイドバーを別個の部材ではなく飛球線方向に平行な傾斜したプレート材から形成し、これに接続してガイドリングを前後に取付けテークバック位置からフォロースルー位置まで、スイングがスムースにできるようにすることもできる。
【図面の簡単な説明】
【００３１】
【図１】本発明の実施例に係るゴルフスイングの練習器の斜視図。
【図２】図１のゴルフスイングの練習器の側面図。
【図３】図１のゴルフスイングの練習器内でプレーヤーが正しいアドレス位置を占めたときの状態を示す正面図。
【図４】図３のアドレス位置におけるゴルフクラブシャフトとガイドフレームとの関係を示す斜視図。
【図５】図３の状態からテークバック位置に移行したときの状態を示す正面図。
【図６】インパクト直後の状態を示す正面図。
【図７】フォロースイングの状態を示す正面図。
【図８】ゴルフクラブシャフトとアームとがなす角度を示す説明図で、（ａ）は正しいアドレス時の角度θ、（ｂ）は前屈みになった時の角度θ′、（ｃ）は後方に反ったときの角度θ″。
【符号の説明】
【００３２】
１    ガイドリング
２    ガイドバー
３    支持脚装置
６    第１の脚部
８    第２の脚部
１０  第３の支持脚
１４  アーム
２０  ゴルフクラブ
２２  シャフト
【図１】
2005218784.tif 000003
【図２】
2005218784.tif 000004
【図３】
2005218784.tif 000005
【図４】
2005218784.tif 000006
【図５】
2005218784.tif 000007
【図６】
2005218784.tif 000008
【図７】
2005218784.tif 000009
【図８】
2005218784.tif 000010